(57)【要約】【課題】不要な表示制御による電力の浪費を減らすことが可能な携帯型電子機器を提供する。【解決手段】携帯型電子機器は、ユーザーの移動経路における気圧を測定する圧力センサーと、前記圧力センサーの取得した気圧データに基づいて、前記ユーザーの移動状態が下り移動であるか否かを判定し、前記判定結果に基づいて表示を制御する制御部と、前記ユーザーに情報を表示する表示部と、を備え、前記制御部は、前記下り移動であると判定した場合、前記表示部の表示を消す、前記表示部の表示更新を停止する、または前記表示部の表示更新頻度を下げる。【選択図】図４
2019141374.tif 000002
【特許請求の範囲】
【請求項１】
ユーザーの移動経路における気圧を測定する圧力センサーと、
前記圧力センサーの取得した気圧データに基づいて、前記ユーザーの移動状態が下り移動であるか否かを判定し、前記判定結果に基づいて表示を制御する制御部と、
前記ユーザーに情報を表示する表示部と、を備え、
前記制御部は、
前記下り移動であると判定した場合、前記表示部の表示を非表示にする、または前記表示部の表示更新を停止することを特徴とする携帯型電子機器。
【請求項２】
前記制御部は、前記気圧データに基づいて、前記ユーザーの移動状態が前記下り移動ではないと判定した場合、前記表示部の表示更新を行うことを特徴とする請求項１に記載の携帯型電子機器。
【請求項３】
前記表示部に表示する前記情報は、予めユーザーが設定可能であることを特徴とする請求項１または請求項２に記載の携帯型電子機器。
【請求項４】
前記制御部は、前記気圧データに基づいて、前記ユーザーの移動状態が上り移動もしくは平坦移動であると判定した場合、前記上り移動に係る情報、もしくは前記平坦移動に係る情報を表示することを特徴とする請求項１ないし請求項３のいずれか一項に記載の携帯型電子機器。
【請求項５】
前記上り移動に係る情報は、脈拍数、心拍数、心拍ゾーン、移動速度、移動距離、移動した階段の段数の累積値、および移動したフロア数の累積値の少なくともいずれかであることを特徴とする請求項４に記載の携帯型電子機器。
【請求項６】
前記平坦移動に係る情報は、脈拍数、心拍数、心拍ゾーン、移動速度、および移動距離の少なくともいずれかであることを特徴とする請求項４に記載の携帯型電子機器。
【請求項７】
前記制御部は、予め設定された閾値を用いて、所定の期間における勾配もしくは傾斜の変化量を評価して、前記移動状態を判定することを特徴とする請求項１に記載の携帯型電子機器。
【請求項８】
前記制御部は、前記気圧データに基づいて、前記下り移動が終了したと判定すると、少なくとも下り区間におけるパフォーマンス情報を表示することを特徴とする請求項１または請求項２に記載の携帯型電子機器。
【請求項９】
前記ユーザーの動作を検出する加速度センサーを備え、
前記制御部は、前記加速度センサーの検出データおよび前記気圧データに基づき、前記パフォーマンス情報を表示することを特徴とする請求項８に記載の携帯型電子機器。
【請求項１０】
ユーザーの移動状態に応じて表示部を制御する表示制御方法であって、
前記ユーザーの移動経路における気圧を測定する圧力センサーの取得した気圧データに基づいて、ユーザーの移動状態が下り移動であるか否かを判定するステップと、
前記下り移動であると判定した場合、前記表示部の表示を消す、前記表示部の表示更新を停止する、または前記表示部の表示更新頻度を下げるステップと、を含むことを特徴とする表示制御方法。
【請求項１１】
前記判定するステップでは、前記下り移動ではないと判定した場合、前記表示部の表示を更新するステップを含むことを特徴とする請求項１０に記載の表示制御方法。
【請求項１２】
前記ユーザーの動作を検出する加速度センサーの検出データを取得するステップを含み、
前記判定するステップにおいて、前記検出データおよび前記気圧データに基づいて、上り移動、もしくは平坦移動であると判定した場合、表示を切り替え、前記上り移動、前記平坦移動、もしくは下り移動の区間におけるパフォーマンスに係る情報を表示することを特徴とする請求項１０または請求項１１に記載の表示制御方法。
【発明の詳細な説明】
【技術分野】
【０００１】
本発明は、携帯型電子機器、および表示制御方法に関する。
【背景技術】
【０００２】
近年、ランニングやサイクリング等のスポーツ活動におけるユーザーの位置や速度を計測する携帯型電子機器が実用化されている。このような携帯型電子機器を用いることによって、ユーザーは、スポーツ活動中に自らの走行速度や走行距離等のパフォーマンス情報を把握することができ、例えばトレイルランやマウンテンバイク等の大会におけるレース中の走行ペースを管理する際に有効に活用することができる。
【０００３】
このような携帯型電子機器として、例えば特許文献１には、ユーザーの運動動作を所望のペースに誘導するペースメーキング機能を実現することができるとともに、当該運動中の状態をユーザーが直感的に把握できるように提供する運動支援装置（リスト機器）が開示されている。この装置では、ユーザーが入力したランニングコースについて、走行区間ごと任意に目標ペースが設定され、ランニング中においてリスト機器の表示部に、目標ペースに基づいて移動するペースメーカーの仮想オブジェクトと、ユーザーの実測ペースに基づいて移動するオブジェクトとの両方が常時表示される。これらの仮想オブジェクト、ユーザーのオブジェクトは、走行区間が更新されるたびに所定のスタート位置に戻されるとともに、目標ペースが順次更新される。
【先行技術文献】
【特許文献】
【０００４】
【特許文献１】特開２０１４−１１７５１２号公報
【発明の概要】
【発明が解決しようとする課題】
【０００５】
しかしながら、特許文献１に記載されている運動支援装置では、ランニング中リスト機器の表示部に仮想オブジェクトなどが常時表示されるが、ユーザーは、ランニング経路に急な勾配の坂道があった場合、特に下り坂ではスピードが出やすいため画面を見ながら走る余裕のない場合がある。このような場合には、ユーザーが視認する可能性が低いにもかかわらず、オブジェクトの表示や更新をしてしまうなどの不要な表示制御が行なわれることによって電力を浪費してしまうおそれがある。
【課題を解決するための手段】
【０００６】
本願の携帯型電子機器は、ユーザーの移動経路における気圧を測定する圧力センサーと、前記圧力センサーの取得した気圧データに基づいて、前記ユーザーの移動状態が下り移動であるか否かを判定し、前記判定結果に基づいて表示を制御する制御部と、前記ユーザーに情報を表示する表示部と、を備え、前記制御部は、前記下り移動であると判定した場合、前記表示部の表示を非表示にする、または前記表示部の表示更新を停止することを特徴とする。
【０００７】
上述の携帯型電子機器において、前記制御部は、前記気圧データに基づいて前記ユーザーの移動状態が前記下り移動ではないと判定した場合、前記表示の更新を行うことが好ましい。
【０００８】
上述の携帯型電子機器において、前記表示部に表示する前記情報は、予めユーザーが設定可能であることが好ましい。
【０００９】
上述の携帯型電子機器において、前記制御部は、前記気圧データに基づいて前記ユーザーの移動状態が上り移動もしくは平坦移動であると判定した場合、前記上り移動に係る情報、もしくは前記平坦移動に係る情報を表示することが好ましい。
【００１０】
上述の携帯型電子機器において、前記上り移動に係る情報は、脈拍数、心拍数、心拍ゾーン、移動速度、移動距離、移動した階段の段数の累積値、および移動したフロア数の累積値の少なくともいずれかであることが好ましい。
【００１１】
上述の携帯型電子機器において、前記平坦移動に係る情報は、脈拍数、心拍数、心拍ゾーン、移動速度、および移動距離の少なくともいずれかであることが好ましい。
【００１２】
上述の携帯型電子機器において、前記制御部は、予め設定された閾値を用いて、所定の期間における勾配もしくは傾斜の変化量を評価して、前記移動状態を判定することが好ましい。
【００１３】
上述の携帯型電子機器において、前記制御部は、前記気圧データに基づいて前記下り移動が終了したと判定すると、少なくとも下り区間におけるパフォーマンス情報を表示することが好ましい。
【００１４】
上述の携帯型電子機器において、前記ユーザーの動作を検出する加速度センサーを備え、前記制御部は、前記加速度センサーの検出データおよび前記気圧データに基づき、前記パフォーマンス情報を表示することが好ましい。
【００１５】
本願の表示制御方法は、ユーザーの移動状態に応じて表示部を制御する表示制御方法であって、前記ユーザーの移動経路における気圧を測定する圧力センサーの取得した気圧データに基づいて、ユーザーの移動状態が下り移動であるか否かを判定するステップと、前記下り移動であると判定した場合、前記表示部の表示を消す、前記表示部の表示更新を停止する、または前記表示部の表示更新頻度を下げるステップと、を含むことを特徴とする。
【００１６】
上述の表示制御方法において、前記判定するステップでは、前記下り移動ではないと判定した場合、前記表示部の表示を更新するステップを含むことが好ましい。
【００１７】
上述の表示制御方法において、前記ユーザーの動作を検出する加速度センサーの検出データを取得するステップを含み、前記判定するステップにおいて、前記検出データおよび前記気圧データに基づいて、上り移動、もしくは平坦移動であると判定した場合、表示を切り替え、前記上り移動、前記平坦移動、もしくは下り移動の区間におけるパフォーマンスに係る情報を表示することが好ましい。
【図面の簡単な説明】
【００１８】
【図１】携帯型電子機器としてのウェアラブル機器の概略構成を示す外観図。
【図２】ウェアラブル機器の装着例を示す外観図。
【図３】ウェアラブル機器の構成例を示す断面図。
【図４】ウェアラブル機器の構成例を示す機能ブロック図。
【図５】ユーザーの移動状態による表示を時系列で示すタイミングチャート。
【図６】ユーザーの移動状態による表示制御方法の一例を示すフローチャート。
【図７】ユーザーの移動状態によって表示される表示例１を示す平面図。
【図８】ユーザーの移動状態によって表示される表示例２を示す平面図。
【図９】ユーザーの移動状態によって表示される表示例３を示す平面図。
【図１０】ユーザーの移動状態によって表示されよる表示例４を示す平面図。
【図１１】ユーザーの移動状態によって表示されよる表示例５を示す平面図。
【図１２】ユーザーの移動状態による表示制御方法の変形例１を示すフローチャート。
【図１３】ユーザーの移動状態によって表示される表示例６を示す平面図。
【図１４】ユーザーの移動状態による表示制御方法の変形例２を示すフローチャート。
【発明を実施するための形態】
【００１９】
以下、本発明に係る携帯型電子機器、および表示制御方法の実施形態について説明する。なお、以下に説明する実施形態は、特許請求の範囲に記載された本発明の内容を不当に限定するものではない。また、各実施形態で説明される構成の全てが、本発明の必須構成要件であるとは限らない。
【００２０】
（携帯型電子機器としてのウェアラブル機器）
先ず、運動支援システムなどに用いられる運動支援装置（検出装置）として、例えばユーザーの手首に装着される脈波センサーや体動センサーを備えた携帯型電子機器としてのウェアラブル機器（リスト機器）を例示し、図１、図２、図３、および図４を参照して説明する。図１は、携帯型電子機器としてのウェアラブル機器の概略構成を示す外観図である。図２は、ウェアラブル機器の装着例を示す外観図である。図３は、ウェアラブル機器の構成例を示す断面図である。図４は、ウェアラブル機器の構成例を示す機能ブロック図である。
【００２１】
携帯型電子機器としてのウェアラブル機器２００には、ユーザーの生体情報としての脈波情報を取得する脈波センサー（光センサー部４０）やユーザーの動作情報（体動情報）を取得する体動センサー部１７０が備えられている。さらに、ウェアラブル機器２００には、ユーザーの位置情報を取得する全地球的航法衛星システム（GNSS：Global Navigation Satellite System）などと呼ばれる位置情報衛星を用いた位置測位システムの一例としてのＧＰＳ（Global Positioning System）の衛星測位部１６０が備えられている。なお、ウェアラブル機器２００は、頸部や足首等、ユーザーの他の部位に装着されるウェアラブル機器としてもよい。
【００２２】
脈波センサー（光センサー部４０）は、脈拍数などの脈波情報を取得することが可能である。脈波センサーとしては、例えば光電センサーが用いられる。この場合には、生体に対して照射された光の反射光または透過光を当該光電センサーで検出する手法等が考えられる。血管内の血流量に応じて、照射された光の生体での吸収量、反射量が異なるため、光電センサーで検出したセンサー情報は血流量等に対応した信号となり、当該信号を解析することで拍動に関する情報を取得することができる。ただし、脈波センサーは光電センサーに限定されず、心電計や超音波センサー等、他のセンサーを用いてもよい。
【００２３】
体動センサー部１７０は、ユーザーの体動を検出するセンサーである。体動センサー部１７０としては、図４に示すように、加速度センサー５５や角速度センサー（不図示）、あるいは方位センサー（地磁気センサー）５６や圧力センサー（気圧センサー）５７等を用いることが考えられるが、他のセンサーを用いてもよい。
【００２４】
ＧＰＳは、全地球測位システムとも呼ばれ、複数の衛星信号に基づいて地球上の現在位置を測定するための衛星測位システムである。ＧＰＳの衛星測位部１６０は、ＧＰＳ時刻情報と軌道情報とを使用して測位計算を行い、ユーザーの位置情報を取得する機能、および時計機能における時刻修正機能を備えている。
【００２５】
ウェアラブル機器２００に備えられた衛星測位部１６０（図４参照）は、ＧＰＳ衛星からの電波（衛星信号）を受信して内部時刻を修正したり、測位計算を行って位置情報を取得したりする機能を備えている。
【００２６】
ＧＰＳ衛星は、地球の上空において、所定の軌道上を周回する位置情報衛星の一例である。ＧＰＳ衛星は、航法メッセージが重畳された高周波の電波、例えば周波数が１．５７５４２ＧＨｚの電波（Ｌ１波）を地上に送信している。以降の説明では、航法メッセージが重畳された、例えば１．５７５４２ＧＨｚの電波を衛星信号という。衛星信号は、右旋偏波の円偏波である。
【００２７】
現在、３２基のＧＰＳ衛星が存在している。衛星信号がどのＧＰＳ衛星から送信されたかを識別するために、各ＧＰＳ衛星はＣ／Ａコード（Coarse／Acquisition Code）と呼ばれる１０２３ｃｈｉｐ（１ｍｓ周期）の固有のパターンを衛星信号に重畳する。Ｃ／Ａコードは、各ｃｈｉｐが＋１、または−１のいずれかであり、ランダムパターンのように見える。したがって、衛星信号と各Ｃ／Ａコードのパターンの相関をとることにより、衛星信号に重畳されているＣ／Ａコードを検出することができる。このようにして、衛星信号がどのＧＰＳ衛星から送信されたかを識別する衛星番号を取得することができる。
【００２８】
ＧＰＳ衛星は原子時計を搭載している。衛星信号には、原子時計で計時された極めて正確なＧＰＳ時刻情報が含まれている。地上のコントロールセグメントにより、各ＧＰＳ衛星に搭載されている原子時計のわずかな時刻誤差が測定されている。衛星信号には、その時刻誤差を補正するための時刻補正パラメーターも含まれている。ウェアラブル機器２００は、１つのＧＰＳ衛星から送信された衛星信号（電波）を受信し、その中に含まれるＧＰＳ衛星の時刻情報であるＧＰＳ時刻情報と時刻補正パラメーターとを使用して時刻情報を取得することができる。なお、衛星信号には、ＧＰＳ衛星の軌道上の位置を示すエフェメリス（精密衛星軌道情報）やアルマナックが含まれている。
【００２９】
ここで、エフェメリス（精密衛星軌道情報）は、一つの衛星の位置を高精度に表す、時間の関数であり、アルマナックに比べて軌道を表現するためのパラメーターが多いので、軌道の精度は高い。取得には、およそ３０秒〜１分を要する。また、アルマナックは、全衛星のおおよその位置が、時間の関数で表されている。取得には、１０分以上を要する。
【００３０】
ウェアラブル機器２００は、ＧＰＳ時刻情報と、エフェメリス（精密衛星軌道情報）やアルマナックなどの軌道情報と、を使用して測位計算を行うことができる。測位計算は、ウェアラブル機器２００の内部時刻にある程度の誤差が含まれていることを前提として行われる。すなわち、ウェアラブル機器２００の三次元の位置を特定するためのｘ，ｙ，ｚパラメーターに加えて時刻誤差も未知数になる。そのため、ウェアラブル機器２００は、例えば三つ以上のＧＰＳ衛星からそれぞれ送信された衛星信号（電波）を受信し、その中に含まれるＧＰＳ時刻情報と軌道情報とを使用して測位計算を行い、現在地の位置情報を取得することができる。
【００３１】
携帯型電子機器としてのウェアラブル機器２００について、さらに詳細に説明する。ウェアラブル機器２００は、図２に示すように、ユーザーの所与の部位（例えば手首などの測定の対象部位）に装着され、脈波情報や位置情報等を検出する。ウェアラブル機器２００は、図１に示すように、ハウジング３０を含みユーザーに密着されて脈波情報等を検出する機器本体１８と、機器本体１８に取り付けられ機器本体１８をユーザーに装着するための一対のバンド部１０と、を有する。ハウジング３０を含む機器本体１８には、表示部５０、および光センサー部４０が設けられている。バンド部１０には、嵌合穴１２と尾錠１４とが設けられる。尾錠１４は、尾錠枠１５、および係止部（突起棒）１６から構成される。また、ハウジング３０の側面には、操作部１３０として押しボタンが複数配置されている。
【００３２】
なお、以下のウェアラブル機器２００の説明では、機器本体１８をユーザーに装着したとき、測定の対象部位となる対象物（被検体）側に位置する側を「裏側、もしくは裏面側」、その反対側となる機器本体１８の表示面側を「表側、もしくは表面側」として説明する。また、測定される「対象物（対象部位）」を「被検体」ということがある。また、ウェアラブル機器２００のハウジング３０を基準として座標系を設定し、表示部５０の表示面に交差する方向であって、表示部５０の表示面側のハウジング３０を表面とした場合の裏面から表面へと向かう方向をＺ軸正方向としている。あるいは、光センサー部４０から表示部５０に向かう方向、あるいは表示部５０の表示面の法線方向においてハウジング３０から離れる方向をＺ軸正方向と定義してもよい。ウェアラブル機器２００が被検体に装着された状態では、上記Ｚ軸正方向とは、被検体からハウジング３０へと向かう方向に相当する。また、Ｚ軸に直交する２軸をＸＹ軸とし、特にハウジング３０に対してバンド部１０が取り付けられる方向をＹ軸に設定している。
【００３３】
図１は、嵌合穴１２と係止部１６とを用いてバンド部１０が固定された状態であるウェアラブル機器２００を、バンド部１０側の方向（ハウジング３０の面のうち装着状態において被検体側となる面側）である−Ｚ軸方向から見た斜視図である。ウェアラブル機器２００では、バンド部１０に複数の嵌合穴１２が設けられ、尾錠１４の係止部１６を、複数の嵌合穴１２のいずれかに挿入することでユーザーへの装着が行われる。複数の嵌合穴１２は、バンド部１０の長手方向に沿って設けられる。
【００３４】
機器本体１８は、図３に示すように、第１ハウジング２１と第２ハウジング２２とを含むハウジング３０を有する。第２ハウジング２２は、機器本体１８をユーザーに装着したとき、測定の対象物の側に位置する。第１ハウジング２１は、第２ハウジング２２に対して、測定の対象物側と反対側（表側）に配置される。そして、第２ハウジング２２には、検出窓２２１が設けられ、検出窓２２１に対応する第２ハウジング２２の位置に光センサー部４０が設けられている。つまり、光センサー部４０（生体センサー）はハウジング３０の中に設けられている。但し、光センサー部４０の設けられる位置はこれに限定されず、第２ハウジング２２の測定の対象物と接触する面上に設けられてもよい。具体的には、生体センサーが心電計である場合、測定電極が第２ハウジング２２の測定の対象物と接触する面上に設けられる。
【００３５】
なお、ハウジング３０は、第１ハウジング２１と第２ハウジング２２とに分割された構成に限らず、第１ハウジング２１と第２ハウジング２２とを一体として構成されたハウジングであってもよい。このようなハウジングでは、表側に表示部５０が配置される開口が設けられ、裏側に検出窓２２１に相当する窓部を設ける。
【００３６】
図２は、ユーザーが装着した状態でのウェアラブル機器２００を、表示部５０の設けられる側（Ｚ軸方向）から見た図である。図２に示すように、本実施形態に係るウェアラブル機器２００は通常の腕時計の文字盤に相当する位置、あるいは数字やアイコンを視認可能な位置に表示部５０を有する。ウェアラブル機器２００の装着状態では、ハウジング３０のうちの第２ハウジング２２（図３参照）側が被検体に密着するとともに、表示部５０は、ユーザーによる視認が容易な位置となる。
【００３７】
次に、ウェアラブル機器２００のうちの機器本体１８の構成を、図３に示す断面構造例と図４に示す機能ブロック例を参照して説明する。図３に示すように、機器本体１８は、第１ハウジング２１と第２ハウジング２２とに加えて、モジュール基板３５と、モジュール基板３５に接続された光センサー部４０と、回路基板４１と、表示部５０と、体動センサーの一例としての加速度センサー５５、方位センサー５６、および圧力センサー（気圧センサー）５７と、二次電池６０と、衛星アンテナ６５と、制御部（ＣＰＵ）９０と、を含む。ただし、ウェアラブル機器２００の構成は図３に示す構成に限定されず、他の構成を追加することや一部の構成を省略することが可能である。
【００３８】
第１ハウジング２１は、胴部２１１とガラス板２１２を備えてもよい。この場合、胴部２１１およびガラス板２１２は、内部構造を保護する外壁として用いられるとともに、ガラス板２１２を介して、ガラス板２１２の直下に設けられる液晶ディスプレイ（以下、ＬＣＤ）等の表示部５０の表示をユーザーが視認可能な構成としてもよい。つまり本実施形態では、検出した生体情報や運動状態を表す情報、あるいは時刻情報等の種々の情報をＬＣＤに表示するものであってもよい。なお、ここでは機器本体１８の天板部分をガラス板２１２により実現する例を示したが、表示部５０を視認可能な透明部材であり、表示部５０のハウジング３０の内部に含まれる構成を保護可能な程度の強度を有する部材であれば、透明のプラスチック等、ガラス以外の材料により天板部分を構成することが可能である。
【００３９】
第２ハウジング２２には、検出窓２２１、および遮光部２２２が設けられる。そして、第２ハウジング２２には、検出窓２２１に対応する位置に光センサー部４０が設けられる。検出窓２２１においては光が透過する構成となっており、光センサー部４０に含まれる発光部１５０（図４参照）から射出される光は、検出窓２２１を透過して被検体（測定の対象物）に対して照射される。また、被検体で反射された反射光も検出窓２２１を透過し、光センサー部４０のうちの受光部１４０（図４参照）において受光される。つまり、検出窓２２１を設けることで、光センサー部４０を用いた生体情報の検出が可能になる。光センサー部４０は、モジュール基板３５に接続されている。なお、モジュール基板３５は、フレキシブル基板４７などを用いて回路基板４１と電気的な接続がなされている。
【００４０】
回路基板４１には、一方の面にＬＣＤ等の表示パネルを案内するパネル枠（不図示）が配置され、他方の面に二次電池６０などを案内する回路ケース（不図示）が配置されている。回路基板４１には、衛星アンテナ６５を含む衛星測位部１６０（図４参照）を制御する回路、光センサー部４０を駆動し脈波（脈拍）を測定する回路、計時部１１０を制御する回路、表示部５０を駆動する回路、体動センサー部１７０を駆動しセンサーデータを取得する回路などを制御する制御回路としての制御部（ＣＰＵ）９０が実装されている。回路基板４１は、表示部５０の電極と図示しないコネクターを介して導通されている。そして、表示部５０には、モニタリングされたユーザーの移動軌跡、移動距離、各移動状態に応じた脈拍数や心拍数、時刻情報などの移動に係る情報が表示される。
【００４１】
回路ケース４４には、充電可能な電池としての二次電池６０（リチウム二次電池）が案内されている。二次電池６０は、両極の端子が接続基板４８などによって回路基板４１に接続され、電源を制御する回路へ電源を供給する。電源は、この回路で所定の電圧に変換されるなどして各回路へ供給され、光センサー部４０を駆動し脈拍を検出する回路、表示部５０を駆動する回路、各回路を制御する制御回路（制御部９０）などを動作させる。二次電池６０の充電は、コイルばねなどの導通部材（不図示）により回路基板４１と導通された一対の充電端子を介して行われる。なお、ここでは電池として二次電池６０を用いる例を説明したが、電池には、充電が不要な一次電池を用いてもよい。
【００４２】
また、図３に示したように、検出窓２２１は、第１ハウジング２１と第２ハウジング２２との接続部に設けられる密封部５１まで延在形成されていてもよい。ここで、密封部５１は、ハウジング３０の内部を外部から密閉するパッキン５２が設けられているものであってもよい。パッキン５２は、第１ハウジング２１と第２ハウジング２２との接続部に設けられ、ハウジング３０の内部を外部から密閉するものである。
【００４３】
また、ウェアラブル機器２００は、その機能構成として、図４に示されているように、光センサー部４０、表示部５０、通信部８０、制御部（ＣＰＵ）９０、計時部１１０、操作部１３０、衛星測位部１６０、体動センサー部１７０、および記憶部１８０を含んでいる。
【００４４】
光センサー部４０は、脈波等を検出するものであり、受光部１４０、および発光部１５０を含む。光センサー部４０は、前述したように発光部１５０から射出される光が被検体（測定の対象物）に対して照射され、その反射光が受光部１４０で受光されることによって脈波情報を検出することができる。光センサー部４０は、脈波センサーにより検出された信号を、脈波検出信号として出力する。光センサー部４０としては、例えば光電センサーを用いることができる。この場合には、生体（ユーザーの手首）に対して、発光部１５０から照射された光の反射光または透過光を、受光部１４０によって検出する手法等が考えられる。このような手法では、血管内の血流量に応じて、照射された光の生体での吸収量、反射量が異なるため、光電センサーで検出したセンサー情報は血流量等に対応した信号となり、当該信号を解析することで拍動に関する情報を取得することができる。ただし、脈波センサーは光電センサーに限定されず、心電計や超音波センサー等、他のセンサーを用いてもよい。
【００４５】
表示部５０は、制御部９０の指示に基づいて、ユーザーの生体情報や運動状態を表す情報、位置情報、あるいは時刻情報等の種々の情報を表示し、ユーザーに提示することができる。表示部５０は、ユーザーの位置情報を地図上に示したり、ユーザーの移動状態に応じた情報を示したりすることができる。表示部５０は、例えば、地図上にプロットされた移動履歴を移動軌跡として、もしくはユーザーの移動状態、例えば上り移動や下り移動のときの生体情報や運動状態に係る情報として、ユーザーに対してビジュアル的に示すことができる。このような表示を行うことにより、ユーザーは、移動軌跡や移動状態に係る情報を画像情報としてビジュアル的に視認できるので、ランニングやウォーキングの実績を把握しやすくなる。
【００４６】
制御部（ＣＰＵ）９０は、光センサー部４０を駆動し脈波を測定する回路、表示部５０を駆動する回路、体動センサー部１７０を駆動し体動情報を検出する回路、および衛星測位部１６０を制御する回路などの制御回路を構成する。制御部９０は、操作部１３０からの信号、もしくは体動センサー部１７０の加速度センサー５５や圧力センサー５７などの検出結果に基づいて、位置情報の計測開始（ワークアウト開始）や計測終了（ワークアウト終了）のタイミングの決定、もしくは表示モードの切り替えなど表示部５０への表示を制御することができる。なお、表示モードの切り替えには、表示を消す（ＯＦＦする）表示制御も含む。
【００４７】
通信部８０は、別体の情報処理装置（不図示）との間において、情報通信を行うことができる。また、通信部８０は、制御部９０からの命令に基づき、脈波情報や体動情報、もしくはユーザーの位置情報（測定位置情報）を、情報処理装置に送信することができる。
【００４８】
制御部９０は、通信部８０を介して脈波情報や体動情報、もしくはユーザーの位置情報（測定位置情報）やセンサーデータを、情報処理装置に送信したり、情報処理装置から受信したりすることができる。
【００４９】
制御部９０は、上述した表示モードを切り替える制御において、例えば、トレイルラン大会等のレースにウェアラブル機器２００を使用する場合に、ユーザーの移動状態に応じて表示（表示モード）を制御することができる。ここで、ユーザーの移動状態とは、例えばユーザーが上り坂（上り勾配）を移動している上り移動、下り坂（下り勾配）を移動している下り移動、平坦地を移動している平坦移動とを含むことができる。制御部９０は、トレイルランのコース（ユーザーの移動経路）において、衛星測位部１６０もしくは加速度センサー５５の取得した位置情報、および圧力センサー５７の取得した気圧データに基づいて、予め設定された閾値を用いて、所定の期間における勾配もしくは傾斜の変化量を評価して、移動状態を判定することができる。なお、閾値は、予めユーザーによって設定することが可能である。そして、制御部９０は、判定した移動状態（判定結果）に基づいて、表示部５０の表示モードを決定し、表示の更新を停止したり、表示を切り替えたり、表示を消したりするなどの表示制御を行うことができる。この表示制御の手順については、後段の表示制御方法の説明にて詳述する。
【００５０】
また、制御部９０は、衛星測位部１６０の取得した位置情報や加速度センサー５５の取得した加速度データなどを用いて、ユーザーの移動距離、移動スピード、ピッチ、およびペースなどをリアルタイムに計測することができる。なお、ペースとは、単位距離当たりにかかった時間のことを示している。
【００５１】
計時部１１０は、例えば衛星測位部１６０の取得したＧＰＳ時刻情報と時刻補正パラメーターとを使用して現在時刻を計時する。そして、計時部１１０は、計時した現在時刻を制御部９０に出力する。
【００５２】
押しボタンなどで構成される操作部１３０は、制御部９０と接続されている。ユーザーは、複数配置されたボタン（操作部１３０）を押すなどの操作を行うことにより、例えば位置情報の計測開始（ワークアウト開始）や計測終了（ワークアウト終了）のタイミング、もしくは表示モードの切り替えなどを手動で指示することができる。
【００５３】
衛星測位部１６０は、衛星アンテナ６５、信号処理部６６、衛星情報取得部６８、および位置算出部６９を含む。衛星測位部１６０は、衛星アンテナ６５が受信した複数の衛星信号を信号処理部６６が処理し、処理された複数の衛星信号、例えばエフェメリス（精密衛星軌道情報）やアルマナックを含む衛星信号を衛星情報取得部６８が取得する。そして、衛星情報取得部６８が取得した複数の衛星信号に基づいて、位置算出部６９において、測位計算を行ってユーザーの測定位置情報を決定することができる。
【００５４】
衛星情報取得部６８は、制御部９０の指示に取得タイミングにおいて、衛星情報として、例えば、一つの衛星の位置を高精度に表す時間の関数であるエフェメリス、および全衛星のおおよその位置が、時間の関数で表されているアルマナックを取得することができる。
【００５５】
位置算出部６９は、取得された複数の衛星信号に基づいて測位計算を行い、計測開始（ワークアウト開始）から計測終了（ワークアウト終了）までの期間におけるワークアウト情報として複数の測定位置情報を決定することができる。ここで決定される測定位置情報は、ユーザーの現在地に係る位置情報である。このように、測位衛星システムの衛星からの信号を使って決定されたユーザーの現在地である測定位置情報に基づいて、計測開始（ワークアウト開始）から計測終了（ワークアウト終了）までの期間におけるユーザーの移動軌跡を決定することができる。
【００５６】
なお、計測開始、および計測終了のタイミングは、操作部１３０のボタン操作、もしくは加速度センサー５５や図示しない脈拍センサーなどの出力に基づいて、制御部９０が判定することによって決定されることができる。
【００５７】
体動センサー部１７０は、加速度センサー５５、方位センサー（地磁気センサー）５６、および圧力センサー（気圧センサー）５７などを含み、ユーザーの体の動きに係る情報の検出、即ち体動情報を検出することができる。体動センサー部１７０は、ユーザーの体動に応じて変化する信号である体動検出信号として、加速度センサー５５からは加速度データ、方位センサー（地磁気センサー）５６からは方位データ、および圧力センサー（気圧センサー）５７からは気圧データが出力される。加速度データ、方位データ、および気圧データなどのセンサーデータは、制御部９０に出力される。なお、体動センサー部１７０の構成は、必ずしも上述の構成に限らず、少なくとも加速度センサー５５および圧力センサー（気圧センサー）５７を備えていればよい。
【００５８】
記憶部１８０は、制御部９０の制御によって、光センサー部４０による脈波等の生体情報、衛星測位部１６０による位置情報、および体動センサー部１７０による体動情報などを記憶することができる。
【００５９】
（表示制御方法）
次に、ウェアラブル機器２００の制御部９０による表示制御方法の一例について、図５ないし図１１を参照して説明する。図５は、ユーザーの移動状態による表示を時系列で示すタイミングチャートである。図６は、ユーザーの移動状態による表示制御方法の一例を示すフローチャートである。図７ないし図１１は、ユーザーの移動状態によって表示される表示例を示す平面図であり、図７は表示例１を示し、図８は表示例２を示し、図９は表示例３を示し、図１０は表示例４を示し、図１１は表示例５を示す。
【００６０】
ウェアラブル機器２００の制御部９０は、図５に示すように、例えばトレイルランのレースに出場しているユーザーの移動状態に応じて表示部５０の表示を制御することができる。以下、この表示制御方法の一例を説明するが、上述したウェアラブル機器２００の構成は、同名称および同符号を用いて説明する。
【００６１】
制御部９０は、図５に示すように、ワークアウト開始後、ユーザーが上り坂（上り勾配）を移動している場合は、上り移動に係る表示モード（上り移動表示）を表示する。そして、制御部９０は、ユーザーの移動が上り移動から平坦地を移動している状態に変わった場合は、平坦移動に係る表示モード（平坦移動表示）に切り替えて表示し、さらに、平坦移動から下り坂（下り勾配）を移動している状態に変わった場合は、下り移動に係る表示モード（表示ＯＦＦ）に切り替えるように制御し、表示部５０に指示する。制御部９０は、以降、ワークアウト終了まで、同様に表示を制御することができる。
【００６２】
本例の表示制御方法は、ユーザーの移動状態に応じて表示部５０の表示を制御する表示制御方法であって、ユーザーの移動経路における気圧を測定する圧力センサー５７の取得した気圧データに基づいて、勾配が閾値以内であるか否かによって、ユーザーが下り移動であるか否かを判定するステップＳ１０９と、下り移動であると判定した場合、表示部の表示の更新を停止する、または表示を消すステップＳ１１５と、を含む。
【００６３】
図６に示すように、先ず、制御部９０は、圧力センサー５７によってユーザーの移動前の地点に係る気圧データを計測し（ステップＳ１０１）、初期値の気圧データとして第１の気圧データを記憶部１８０に記録する。また、制御部９０は、衛星測位部１６０もしくは加速度センサー５５によって、ユーザーの移動前の位置データを計測し（ステップＳ１０２）、初期位置データとして記憶部１８０に記録する。次に、制御部９０は、ユーザーの移動した地点（現在地）における気圧データを計測し（ステップＳ１０３）、ユーザーの移動地点の現在値の気圧データとして第２の気圧データを記憶部１８０に記録する。また、制御部９０は、衛星測位部１６０もしくは加速度センサー５５によって、ユーザーの移動した地点（現在地）の現在位置データを計測し（ステップＳ１０４）、現在位置データとして記憶部１８０に記録する。
【００６４】
次に、制御部９０は、記憶部１８０から、衛星測位部１６０もしくは加速度センサー５５の取得した初期位置データおよび現在位置データを含む位置情報と、第１の気圧データおよび第２の気圧データとを読み出し、初期位置データおよび現在位置データからユーザーの移動距離を求め、第１の気圧データ（気圧の初期値）および第２の気圧データ（気圧の現在値）からユーザーの移動距離における高度差を求める。そして、制御部９０は、ユーザーの移動距離および移動距離における高度差に基づいて、ユーザーの移動した区間の勾配（傾斜）を算出する（ステップＳ１０５）。そして、制御部９０は、算出した勾配を予め設定されている閾値と比較し（ステップＳ１０７）、勾配の変化量が閾値以内であるか否かを判定する（ステップＳ１０９）。なお、第１の気圧データおよび第２の気圧データは、必ずしも記憶部１８０に記録しなくてもよく、計測した気圧データをそのまま用いてユーザーの移動した区間の勾配（傾斜）を算出してもよい。
【００６５】
制御部９０は、この勾配の大小によって表示部５０の表示を制御し、ステップＳ１０９において勾配が閾値以内であると判定した場合（ステップＳ１０９：Ｙｅｓ）、平坦移動と判定し、表示部５０に平坦移動に係る情報の表示、例えば図８および図９に例示する表示モードによる情報の表示を指示し（ステップＳ１１３）、表示する。なお、ステップＳ１０７における閾値との比較は、勾配に替えて傾斜の変化量を用いて行ってもよい。
【００６６】
図８に示す表示例２では、機器本体１８の表示部５０に、平坦移動区間の累積距離、スプリットタイム、およびペースが表示される。なお、ペースとは、単位距離当たりにかかった時間のことを示している。また、スプリットタイムとは、当該平坦移動区間にかかった時間のことを示している。また図９に示す表示例３では、機器本体１８の表示部５０に、平坦移動区間の累積距離、当該平坦移動区間の脈拍数（心拍数）および心拍ゾーンが表示される。
【００６７】
なお、平坦移動に係る情報は、脈拍数、心拍数、心拍ゾーン、移動速度、および移動距離の少なくともいずれかであることが好ましい。このような情報を表示することにより、ユーザーは、平坦移動に係る身体の状態（体調）や移動状況などの詳細な情報を、表示を視認することによって容易に得ることができる。
【００６８】
また、制御部９０は、ステップＳ１０９において勾配が、閾値以内でない、即ち閾値を超えていると判定した場合（ステップＳ１０９：Ｎｏ）、勾配がマイナス（−）であるか否かを判定し（ステップＳ１１１）、勾配がマイナス（−）である場合（ステップＳ１１１：Ｙｅｓ）、下り移動であると判定し、表示部５０の表示の更新を停止する、表示部５０の表示の更新頻度を下げる、または図７に示すように表示部５０の表示を消す（ＯＦＦにする）（ステップＳ１１５）。
【００６９】
また、制御部９０は、ステップＳ１１１の判定において、勾配がマイナス（−）でない、即ちプラス（＋）である場合（ステップＳ１１１：Ｎｏ）、上り移動であると判定し、表示部５０に上り移動に係る情報の表示、例えば図１０および図１１に例示する表示モードによる情報の表示を指示し、表示する（ステップＳ１１７）。
【００７０】
なお、図１０に示す表示例４では、機器本体１８の表示部５０に、上り移動区間の累積距離、脈拍数（最大値、最小値、平均値など）、および当該上り区間の勾配が表示される。また、図１１に示す表示例５では、機器本体１８の表示部５０に、建物内において上った階段の段数、スプリットタイム、および心拍ゾーンが表示される。
【００７１】
また、上り移動に係る情報は、脈拍数、心拍数、心拍ゾーン、移動速度、移動距離、移動した階段の段数の累積値、および実際に移動したフロア数の累積値もしくは仮想的に移動したフロア数の少なくともいずれかであることが好ましい。このような情報を表示することにより、ユーザーは、上り移動に係る身体の状態（体調）や移動状況などの詳細な情報の表示を視認することによって容易に得ることができる。ここで、上り移動に係る情報は、トレイルランレースなどの屋外競技に限らず、建物内において上り下りする移動フロア数や階段の段数などの情報を得ることもできるので、日常生活の中でもどれくらいの運動を実施したかを把握することができる。なお、仮想的なフロア数の累積値とは、たとえばユーザーの移動に伴う高度変化の累積値を、１フロアの高さ、たとえば３メートルで除したときの商としてもよいし、高度変化が３メートルに達するたびにフロア数を１つ増加させる、ことにより算出してもよい。
【００７２】
なお、ステップＳ１０７の判定で用いる閾値は、予めユーザーによって設定することができ、それぞれの移動状態において、ユーザーの欲する表示内容を的確に表示することができる。
【００７３】
以降、制御部９０は、計測終了、即ちユーザーからワークアウト終了の指示があるか否かを判定し（ステップＳ１１９）、計測終了の指示がある場合（ステップＳ１１９：Ｙｅｓ）、一連の手順を終了する。なお、制御部９０は、計測終了の指示がない場合（ステップＳ１１９：Ｎｏ）、ステップＳ１０１に戻り、一連のフローによる表示制御を継続する。
【００７４】
以上説明した表示制御方法によれば、圧力センサー５７の測定したユーザーの移動経路における気圧データに基づいて、ユーザーの移動状態が下り移動であると判定した場合、前表示の更新を停止する、または表示部５０の表示を消すように制御する。即ち、従来、ユーザーが表示画面を見ながら走ることは少ない下り移動においても、表示が行なわれていたり、表示が更新されていたりすることによって浪費されていた電力を、本態様では下り移動において表示を消したり、表示の更新を停止したりするため電力消費を低減させることができる。このように、スピードが出やすいため画面を見ながら走ることの少ない下り移動時の表示に係る消費電力を減少させることができる。
【００７５】
なお、制御部９０は、下り移動の状態から勾配が閾値以内となって下り移動が終了したと判定した場合、ユーザーによる表示の視認が可能になったと判断し、下り移動に係る区間のパフォーマンス情報を表示することが好ましい。ここで、下り移動が終了したと判定した場合とは、下り移動の状態が終了しユーザーが停止している場合、もしくは下り移動の状態から平坦移動もしくは上り移動の状態に移行したと判定した場合と言い換えることができる。
【００７６】
上述のように、下り移動の状態から平坦移動もしくは上り移動の状態に移行したと判定した場合、下り移動が終了したと判定した場合と同様に、ユーザーによる表示の視認が可能になったと判断し、下り移動に係る区間（以下、「下り区間」という）のパフォーマンス情報を表示することができる。このように、下り移動が終了し、ユーザーが表示を視認することができるようになった状態で下り区間のパフォーマンス情報を表示することにより、電力消費を押えつつ、ユーザーのモチベーションを高めることに必要な情報を出力することができる。なお、ここでのパフォーマンス情報とは、平均移動速度、最大移動速度、斜度、高低差、歩数、一歩あたりの下降率などを指すことができる。
【００７７】
また、制御部９０は、前述のパフォーマンス情報において、自己ベスト情報、例えば自己ベスト記録更新などの情報があれば、報奨画面を表示することが好ましい。ここでの報奨画面とは、例えば「ベスト記録更新」、「目標達成」、もしくは「ＧＯＯＤ」、「ＶＥＲＹ  ＧＯＯＤ」などの表示を含むことができる。このような表示を行い、安定した移動状態のユーザーが視認することにより、ユーザーのモチベーションをさらにアップさせることができる。
【００７８】
以上述べたウェアラブル機器２００によれば、表示を制御する制御部９０は、ユーザーの移動経路における圧力センサー５７の計測した気圧データに基づいて、ユーザーの移動状態が下り移動であると判定した場合、表示を消す（表示ＯＦＦ）、表示の更新を停止する、または表示の更新頻度を下げる。即ち、従来、ユーザーが画面を見ながら走ることは少ないだけでなく危険な下り移動において、表示を制御することによって、つまり本態様では下り移動において表示の更新を停止したり表示の更新頻度を下げたり、表示部５０への電力供給を停止して表示を消したりすることで、電力消費を低減させることができる。同時に下り移動において表示を見ないようにすることをユーザーに習慣づけることができるので、下り移動における安全性を高めることができるだけでなく、足運びに集中できるのでパフォーマンス向上にも寄与することができる。
【００７９】
また、ウェアラブル機器２００によれば、移動状態によって、表示が自動的に切り替わり、例えば、上り移動のときは、上り移動に係る表示モード（上り移動表示）が表示され、平坦地を移動している状態に変わった場合は、平坦移動に係る表示モード（平坦移動表示）が自動的に表示される。これにより、ユーザーは、表示の切り替え操作が不要となり、レースに集中することができる。換言すれば、ユーザーの注意が散漫することを抑制できる。さらに、状況に応じて、ユーザーに役立つ情報を的確に提供することができる。また、表示が自動的に切り替わるので、特にマウンテンバイクや自転車レースなど、両手が塞がってしまうことによって手動による表示の切り替え操作の行い難い競技においては特に有効であり、ユーザーが容易に情報を得ることができる。
【００８０】
（表示制御方法の変形例）
＜変形例１＞
次に、ウェアラブル機器２００の制御部９０による表示制御方法の変形例１について、図１２、および図１３を参照して説明する。図１２は、ユーザーの移動状態による表示制御方法の変形例１を示すフローチャートである。図１３は、ユーザーの移動状態によって表示される表示例６を示す平面図である。
【００８１】
ここで説明する表示制御方法の変形例１は、上述の実施形態のように、加速度センサー５５の検出データに基づいてユーザーの目視動作が行なわれているか否かの判定を行い、その判定結果によって表示部５０の表示を切り替える。つまり、ユーザーの目視動作が行なわれていると判定した場合、下り移動の区間のパフォーマンス情報を表示する。即ち、ウェアラブル機器２００が取り付けられているユーザーの手首の動作によって、ユーザーが目視動作を行っていることの判定がなされた場合、下り移動の区間のパフォーマンス情報を表示する。なお、勾配の変化による下り移動終了の判定と、ユーザーが目視動作を行っていることの判定とがなされた場合に下り移動の区間のパフォーマンス情報を表示することとすることもできる。以下、表示制御方法の変形例１について、説明するが、上述の実施形態と同様なステップは、その説明を省略する。また、ウェアラブル機器２００の構成は、上述と同じ構成名および符号を用いて説明する。
【００８２】
本変形例１の表示制御方法は、ユーザーの移動状態に応じて表示部５０の表示を制御する表示制御方法であって、ユーザーの移動経路における気圧を測定する圧力センサー５７の取得した気圧データに基づいて、勾配が閾値以内であるか否かによって、ユーザーが下り移動であるか否かを判定するステップＳ１０９と、下り移動であると判定した場合、表示部５０の表示の更新を停止する、表示部５０の表示の更新頻度を下げる、または表示部５０の表示を消すステップＳ１１５と、加速度センサー５５の検出データに基づき、ユーザーの目視動作が行なわれたか否かを判定するステップＳ１２１、ステップＳ１３１と、ステップＳ１２１、ステップＳ１３１においてユーザーの目視動作が行なわれたと判定した場合、下り区間のパフォーマンス情報を表示するステップＳ１２３、ステップＳ１３３と、を含む。
【００８３】
先ず、制御部９０は、図６を参照して前述したステップと同様に、圧力センサー５７によってユーザーの移動前の地点に係る気圧データを計測するステップＳ１０１からステップＳ１０３、ステップＳ１０５、ステップＳ１０７、ステップＳ１０９、勾配がマイナス（−）であるか否かを判定するステップＳ１１１までを順次実践する。
【００８４】
制御部９０は、前述の形態と同様に、ステップＳ１０９において勾配が閾値以内であると判定した場合（ステップＳ１０９：Ｙｅｓ）、平坦移動と判定する。そして、制御部９０は、ユーザーによる表示の目視動作が行なわれたか否かを判定し（ステップＳ１３１）、ユーザーが目視動作を行うようにウェアラブル機器２００が取り付けられている手首を動かし、加速度センサー５５によって目視動作が検出されたと判定した（ステップＳ１３１：Ｙｅｓ）場合、図１３の表示例６に示すような表示モードによって、下り区間のパフォーマンス情報を表示する（ステップＳ１３３）。
【００８５】
なお、図１３に示す表示例６では、機器本体１８の表示部５０に、下り区間のパフォーマンス情報の一例として、下り移動区間の累積距離、平均移動速度、および当該下り区間の勾配が表示される。なお、下り区間のパフォーマンス情報とは、当該下り区間におけるユーザーの、平均移動速度、最大移動速度、斜度、高低差、歩数、および一歩あたりの下降率などを含む情報である。
【００８６】
下り区間のパフォーマンス情報を表示した後、制御部９０は、下り区間のパフォーマンス情報を表示する所定の時間が経過したか否かを判定する（ステップＳ１３５）。制御部９０は、このステップＳ１３５において所定時間を経過したと判定した場合（ステップＳ１３５：Ｙｅｓ）、表示部５０の表示を切り替え、平坦移動に係る情報を表示する（ステップＳ１１３）。なお、制御部９０は、ステップＳ１３５において所定時間を経過していないと判定した（ステップＳ１３５：Ｎｏ）場合、下り区間のパフォーマンス情報の表示を継続する。なお、ステップＳ１３５の判定で用いる所定時間は、予めユーザーによって設定することができる。
【００８７】
制御部９０は、ステップＳ１０９において勾配が閾値以内でないと判定した場合（ステップＳ１０９：Ｎｏ）、勾配がマイナス（−）であるか否かを判定するステップＳ１１１に進む。そして、制御部９０は、前述の形態と同様に、ステップＳ１１１において勾配がマイナス（−）である場合（ステップＳ１１１：Ｙｅｓ）、下り移動であると判定し、表示部５０の表示の更新を停止する、もしくは表示部５０の表示を消す（ＯＦＦにする）（ステップＳ１１５）。
【００８８】
そして、制御部９０は、ステップＳ１１１の判定において、勾配がマイナス（−）でない、即ち下り移動が終了した、もしくは下り移動の状態ではないと判定した場合（ステップＳ１１１：Ｎｏ）、次の手順に進み、ユーザーによる表示の目視動作が行なわれたか否かを判定する（ステップＳ１２１）。
【００８９】
制御部９０は、ステップＳ１１１の判定において、勾配がマイナス（−）であると判定した（ステップＳ１１１：Ｙｅｓ）場合、下り移動であると判定し、表示部５０の表示の更新を停止する、表示部５０の表示の更新頻度を下げる、または表示部５０の表示を消す（ＯＦＦにする）（ステップＳ１１５）。
【００９０】
また、制御部９０は、ステップＳ１２１においてユーザーによる表示の目視動作が行なわれた、即ちユーザーが目視動作を行うようにウェアラブル機器２００が取り付けられている手首を動かし、加速度センサー５５によって目視動作が検出されたと判定した（ステップＳ１２１：Ｙｅｓ）場合、図１３の表示例６に示すような表示モードによって、下り区間のパフォーマンス情報を表示する（ステップＳ１２３）。
【００９１】
このように、制御部９０が、下り移動が終了したと判定（ステップＳ１１１：Ｎｏ）した後、加速度センサー５５の検出データにユーザーの目視動作が行なわれたと判定した（ステップＳ１２１：Ｙｅｓ）場合、下り区間のパフォーマンス情報を表示する（ステップＳ１２３）。したがって、下り移動が終了したと判定した後、ユーザー自身が表示を見ることができると判断して起こす動作を検出した場合に、下り区間のパフォーマンス情報を表示し、ユーザーが視認することが可能になる。
【００９２】
また、制御部９０は、ステップＳ１２１においてユーザーによる表示の目視動作が行なわれていない、即ちユーザーが目視動作を行うようにウェアラブル機器２００が取り付けられている手首を動かしていないと判定した（ステップＳ１２１：Ｎｏ）場合、表示部５０に上り移動に係る情報の表示、例えば図１０および図１１に例示したと同様な表示モードによる情報の表示を指示し、表示する（ステップＳ１２７）。
【００９３】
ステップＳ１２３において下り区間のパフォーマンス情報を表示した後、制御部９０は、下り区間のパフォーマンス情報を表示する所定の時間が経過したか否かを判定する（ステップＳ１２５）。制御部９０は、このステップＳ１２５において所定時間を経過したと判定する（ステップＳ１２５：Ｙｅｓ）と、表示部５０の表示を切り替え、上り移動に係る情報の表示、例えば図１０および図１１に例示したと同様な表示モードによる情報の表示を指示し、表示する（ステップＳ１２７）。なお、制御部９０は、ステップＳ１２５において所定時間を経過していないと判定した（ステップＳ１２５：Ｎｏ）場合、下り区間のパフォーマンス情報の表示を継続する。なお、ステップＳ１２５の判定で用いる所定時間は、予めユーザーによって設定することができる。
【００９４】
以降、制御部９０は、計測終了、即ちユーザーからワークアウト終了の指示があるか否かを判定し（ステップＳ１１９）、計測終了の指示がある場合（ステップＳ１１９：Ｙｅｓ）、一連の手順を終了する。なお、制御部９０は、計測終了の指示がない場合（ステップＳ１１９：Ｎｏ）、ステップＳ１０１に戻り、一連のフローによる表示制御を継続する。
【００９５】
以上説明した変形例１に係る表示制御方法によれば、ユーザー自身が表示を見ることができると判断して起こす動作を検出した場合に、前刻に実施した下り区間のパフォーマンス情報を表示し、ユーザーが視認することが可能になる。したがって、ユーザーは、安定した移動が可能な状況、即ちより安全な状況で表示を視認することが可能となる。
【００９６】
＜変形例２＞
次に、ウェアラブル機器２００の制御部９０による表示制御方法の変形例２について、図１４を参照して説明する。図１４は、ユーザーの移動状態による表示制御方法の変形例２を示すフローチャートである。以下、表示制御方法の変形例２について説明するが、上述の実施形態と同様なステップは、その説明を省略する。また、ウェアラブル機器２００の構成は、上述と同じ構成名および符号を用いて説明する。
【００９７】
本変形例２の表示制御方法は、ユーザーの移動状態に応じて表示部５０の表示を制御する表示制御方法であって、ユーザーの移動経路における気圧を測定する圧力センサー５７の取得した気圧データに基づいて、勾配が閾値以内であるか否かによって、ユーザーが下り移動であるか否かを判定するステップＳ１０９と、下り移動であると判定した場合、表示部の表示の更新を停止する、または表示を消すステップＳ１１５と、加速度センサー５５の検出データにユーザーの目視動作が行なわれたか否かを判定するステップＳ１４１と、ステップＳ１４１においてユーザーの目視動作が行なわれたと判定した場合、下り区間のパフォーマンス情報を表示するステップＳ１４３と、を含む。
【００９８】
先ず、制御部９０は、図６を参照して前述したステップと同様に、圧力センサー５７によってユーザーの移動前の地点に係る気圧データを計測するステップＳ１０１からステップＳ１０３、ステップＳ１０５、ステップＳ１０７、ステップＳ１０９、勾配がマイナス（−）であるか否かを判定するステップＳ１１１までを順次実践する。
【００９９】
制御部９０は、前述の形態と同様に、ステップＳ１０９において勾配が閾値以内であると判定した場合（ステップＳ１０９：Ｙｅｓ）、平坦移動と判定する。そして、制御部９０は、表示部５０に平坦移動に係る情報の表示、例えば図８および図９に例示する表示モードによる情報の表示を指示し（ステップＳ１１３）、表示する。
【０１００】
また、制御部９０は、前述の形態と同様に、ステップＳ１０９において勾配が閾値以内でないと判定した場合（ステップＳ１０９：Ｎｏ）、勾配がマイナス（−）であるか否かを判定するステップＳ１１１に進む。そして、制御部９０は、ステップＳ１１１の判定において、勾配がマイナス（−）でない、即ちプラス（＋）である場合（ステップＳ１１１：Ｎｏ）、上り移動であると判定し、表示部５０に上り移動に係る情報の表示、例えば図１０および図１１に例示する表示モードによる情報の表示を指示し、表示する（ステップＳ１１７）。
【０１０１】
また、制御部９０は、前述の形態と同様に、ステップＳ１１１において勾配がマイナス（−）である場合（ステップＳ１１１：Ｙｅｓ）、次のステップＳ１４１に移り、ユーザーによる表示の目視動作が行なわれたか否かを判定する（ステップＳ１４１）。制御部９０は、ステップＳ１４１において、ユーザーが目視動作を行うようにウェアラブル機器２００が取り付けられている手首を動かし、加速度センサー５５によって目視動作が検出されたと判定した（ステップＳ１４１：Ｙｅｓ）場合、図１３の表示例６に示すような表示モードによって、下り区間のパフォーマンス情報を表示する（ステップＳ１４３）。
【０１０２】
下り区間のパフォーマンス情報を表示した後、制御部９０は、下り区間のパフォーマンス情報を表示する所定の時間が経過したか否かを判定する（ステップＳ１４５）。制御部９０は、このステップＳ１４５において所定時間を経過したと判定した場合（ステップＳ１４５：Ｙｅｓ）、表示部５０の表示を切り替え、表示部５０の表示の更新を停止する、表示部５０の表示の更新頻度を下げる、もしくは表示部５０の表示を消す（ＯＦＦにする）（ステップＳ１１５）。なお、制御部９０は、ステップＳ１４５において所定時間を経過していないと判定した（ステップＳ１４５：Ｎｏ）場合、下り区間のパフォーマンス情報の表示を継続する。なお、ステップＳ１４５の判定で用いる所定時間は、予めユーザーによって設定することができる。
【０１０３】
なお、制御部９０は、ステップＳ１１１の判定において、勾配がマイナス（−）でない、即ちプラス（＋）である場合（ステップＳ１１１：Ｎｏ）、上り移動であると判定し、表示部５０に上り移動に係る情報の表示、例えば図１０および図１１に例示する表示モードによる情報の表示を指示し、表示する（ステップＳ１１７）。
【０１０４】
ステップＳ１１３、ステップＳ１１５、ステップＳ１１７以降、制御部９０は、計測終了、即ちユーザーからワークアウト終了の指示があるか否かを判定し（ステップＳ１１９）、計測終了の指示がある場合（ステップＳ１１９：Ｙｅｓ）、一連の手順を終了する。なお、制御部９０は、計測終了の指示がない場合（ステップＳ１１９：Ｎｏ）、ステップＳ１０７に戻り、一連のフローによる表示制御を継続する。
【０１０５】
以上説明した変形例２に係る表示制御方法によれば、ユーザーが画面を見たいと欲し、腕を動かすなどの目視動作を行った場合に、前刻に実施した下り区間のパフォーマンス情報を表示し、ユーザーが視認することが可能になり、ユーザビリティの向上を図ることができる。なお、表示される下り区間のパフォーマンス情報には、脈拍数、脈拍ゾーン、下降速度などが含まれる。
【０１０６】
なお、上述した実施形態では、全地球的航法衛星システム（GNSS：Global Navigation Satellite System）が備える位置情報衛星としてＧＰＳ衛星を用いたＧＰＳを例示して説明したが、これはあくまで一例である。全地球的航法衛星システムは、ガリレオ（EU）、GLONASS（ロシア）、北斗（中国）などの他のシステムや、SBASなどの静止衛星や準天頂衛星などの衛星信号を発信する位置情報衛星を備えるものであればよい。即ち、ウェアラブル機器２００は、ＧＰＳ衛星以外の衛星を含む位置情報衛星からの電波（無線信号）を処理して把握される日付情報、時刻情報、位置情報および速度情報のいずれか一つを取得する構成であってもよい。なお、全地球的航法衛星システムは、地域航法衛星システム（RNSS：Regional Navigation Satellite System）とすることができる。
【０１０７】
以下に、上述した実施形態から導き出される内容を、各態様として記載する。
【０１０８】
［態様１］本態様に係る携帯型電子機器は、ユーザーの移動経路における気圧を測定する圧力センサーと、前記圧力センサーの取得した気圧データに基づいて、前記ユーザーの移動状態が下り移動であるか否かを判定し、前記判定結果に基づいて表示を制御する制御部と、前記ユーザーに情報を表示する表示部と、を備え、前記制御部は、前記下り移動であると判定した場合、前記表示部の表示を非表示にする、または前記表示部の表示更新を停止することを特徴とする。
【０１０９】
本態様によれば、表示を制御する制御部は、ユーザーの移動経路における気圧データに基づいて、ユーザーの移動状態が下り移動であると判定した場合、表示の更新を停止する、または表示を非表示にする。即ち、従来、ユーザーが画面を見ながら走ることは少ない下り移動においても、表示が制御されることによって浪費されていた電力を、本態様では下り移動において表示の更新を停止したり表示を消したりするため電力消費を低減させることができる。このように、スピードが出やすいため画面を見ながら走ることの少ない下り移動時の表示に係る電力消費を減少させることができる。
【０１１０】
［態様２］上記態様に記載の携帯型電子機器において、前記制御部は、前記気圧データに基づいて前記ユーザーの移動状態が前記下り移動ではないと判定した場合、前記表示の更新を行うことが好ましい。
【０１１１】
本態様によれば、ユーザーの移動状態が下り移動における表示の更新による電力消費を低減させることができる。
【０１１２】
［態様３］上記態様に記載の携帯型電子機器において、前記表示部に表示する前記情報は、予めユーザーが設定可能であることが好ましい。
【０１１３】
本態様によれば、それぞれの移動状態において、ユーザーの欲する情報を含む表示内容を的確に表示することができる。
【０１１４】
［態様４］上記態様に記載の携帯型電子機器において、前記制御部は、前記気圧データに基づいて前記ユーザーの移動状態が上り移動もしくは平坦移動であると判定した場合、前記上り移動に係る情報、もしくは前記平坦移動に係る情報を表示することが好ましい。
【０１１５】
本態様によれば、気圧データに基づいてユーザーの移動状態が上り移動もしくは平坦移動であると判定した場合、自動的にそれぞれの移動状態に応じた表示を行うことから、表示の切り替え操作によるユーザーの注意が散漫になることを抑制することができ、ユーザーは、レースに集中することができる。また、状況に応じて、ユーザーに役立つ情報を提供することができる。
【０１１６】
［態様５］上記態様に記載の携帯型電子機器において、前記上り移動に係る情報は、脈拍数、心拍数、心拍ゾーン、移動速度、移動距離、移動した階段の段数の累積値、および移動したフロア数の累積値の少なくともいずれかであることが好ましい。
【０１１７】
本態様によれば、ユーザーは、上り移動に係る身体の状態（体調）や移動状況などの詳細な情報を、表示を視認することによって容易に得ることができる。
【０１１８】
［態様６］上記態様に記載の携帯型電子機器において、前記平坦移動に係る情報は、脈拍数、心拍数、心拍ゾーン、移動速度、および移動距離の少なくともいずれかであることが好ましい。
【０１１９】
本態様によれば、ユーザーは、平坦移動に係る身体の状態（体調）や移動状況などの詳細な情報を、表示を視認することによって容易に得ることができる。
【０１２０】
［態様７］上記態様に記載の携帯型電子機器において、前記制御部は、予め設定された閾値を用いて、所定の期間における勾配もしくは傾斜の変化量を評価して、前記移動状態を判定することが好ましい。
【０１２１】
本態様によれば、予め設定された閾値を用いて、所定の期間における勾配もしくは傾斜の変化量を評価し、移動状態を判定することから、瞬間的な高低の変化（気圧の変化）に影響されることなく判定を行なうことができる。
【０１２２】
［態様８］上記態様に記載の携帯型電子機器において、前記制御部は、前記気圧データに基づいて前記下り移動が終了したと判定すると、少なくとも下り区間におけるパフォーマンス情報を表示することが好ましい。
【０１２３】
本態様によれば、気圧データに基づく下り移動の終了判定により、少なくとも下り区間におけるパフォーマンス情報を表示することから、電力消費を押えつつ、ユーザーのモチベーションを高めることに必要な情報を出力することができる。
【０１２４】
［態様９］上記態様に記載の携帯型電子機器において、前記ユーザーの動作を検出する加速度センサーを備え、前記制御部は、前記加速度センサーの検出データおよび前記気圧データに基づき、前記パフォーマンス情報を表示することが好ましい。
【０１２５】
本態様によれば、下り移動が終了し、ユーザー自身が表示を見ることができると判断して起こす動作を検出した場合に、下り区間のパフォーマンス情報を表示し、ユーザーが視認することが可能になる。したがって、ユーザーは、安定した移動が可能な状況、即ちより安全な状況で表示を視認することが可能となる。
【０１２６】
［態様１０］本態様に係る表示制御方法は、ユーザーの移動状態に応じて表示部を制御する表示制御方法であって、前記ユーザーの移動経路における気圧を測定する圧力センサーの取得した気圧データに基づいて、ユーザーの移動状態が下り移動であるか否かを判定するステップと、前記下り移動であると判定した場合、前記表示部の表示を消す、前記表示部の表示更新を停止する、または前記表示部の表示更新頻度を下げるステップと、を含むことを特徴とする。
【０１２７】
本態様によれば、圧力センサーの測定したユーザーの移動経路における気圧データに基づいて、ユーザーの移動状態が下り移動であると判定した場合、表示部の表示を消す、表示部の表示更新を停止する、または表示部の表示更新頻度を下げるように制御する。即ち、従来、ユーザーが表示画面を見ながら走ることは少ない下り移動においても、表示部の表示が行なわれていることによって浪費されていた電力を、本態様では下り移動において表示を消したり、表示部の表示更新を停止したり、または表示部の表示更新頻度を下げたりするため電力消費を低減させることができる。このように、スピードが出やすいため画面を見ながら走ることの少ない下り移動時の表示に係る消費電力を減少させることができる。
【０１２８】
［態様１１］上記態様に記載の表示制御方法において、前記判定するステップでは、前記下り移動ではないと判定した場合、前記表示部の表示を更新するステップを含むことが好ましい。
【０１２９】
本態様によれば、ユーザーが画面を見ながら走ることは少ないだけでなく危険な下り移動でないと判断して表示を制御することによって、つまり本態様では下り移動において表示の更新を停止したり、更新の頻度を下げたりすることにより、電力消費を低減させることができる。
【０１３０】
［態様１２］上記態様に記載の表示制御方法において、前記ユーザーの動作を検出する加速度センサーの検出データを取得するステップを含み、前記判定するステップにおいて、前記検出データおよび前記気圧データに基づいて、上り移動、もしくは平坦移動であると判定した場合、表示を切り替え、前記上り移動、前記平坦移動、もしくは下り移動の区間におけるパフォーマンスに係る情報を表示することが好ましい。
【０１３１】
本態様によれば、加速度センサーの検出データおよび気圧データに基づいて、上り移動もしくは平坦移動であると判定した場合、それぞれの移動状態に応じた表示に切り替えることから、表示の切り替え操作によるユーザーの注意が散漫になることを抑制することができ、ユーザーは、レースに集中することができる。また、状況に応じて、ユーザーに役立つ情報を提供することができる。
【符号の説明】
【０１３２】
１０…バンド部、１２…嵌合穴、１４…尾錠、１５…尾錠枠、１６…係止部、１８…機器本体、２１…第１ハウジング、２２…第２ハウジング、３０…ハウジング、３５…モジュール基板、４０…光センサー部、４１…回路基板、５０…表示部、５５…加速度センサー、５６…方位センサー、５７…圧力センサー（気圧センサー）、６５…衛星アンテナ、６６…信号処理部、６８…衛星情報取得部、６９…位置算出部、８０…通信部、９０…制御部、１１０…計時部、１３０…操作部、１４０…受光部、１５０…発光部、１６０…衛星測位部、１７０…体動センサー部、１８０…記憶部、２００…携帯型電子機器としてのウェアラブル機器。
【図１】
2019141374.tif 000003
【図２】
2019141374.tif 000004
【図３】
2019141374.tif 000005
【図４】
2019141374.tif 000006
【図５】
2019141374.tif 000007
【図６】
2019141374.tif 000008
【図７】
2019141374.tif 000009
【図８】
2019141374.tif 000010
【図９】
2019141374.tif 000011
【図１０】
2019141374.tif 000012
【図１１】
2019141374.tif 000013
【図１２】
2019141374.tif 000014
【図１３】
2019141374.tif 000015
【図１４】
2019141374.tif 000016